【手続補正書】
【提出日】平成26年7月28日(2014.7.28)
【手続補正１】
【補正対象書類名】明細書
【補正対象項目名】発明の名称
【補正方法】変更
【補正の内容】
【発明の名称】スライドスイッチ、及びスライドスイッチを備える電子機器
【手続補正２】
【補正対象書類名】明細書
【補正対象項目名】０００２
【補正方法】変更
【補正の内容】
【０００２】
デジタルカメラ等の電子機器に用いられるスライドスイッチとしては、スライドレバーと、スライドレバーのスライド操作時にユーザにクリック感を付与するクリック部（クリック力発生部）と、スライドレバーのスライド操作位置を検知するための接片部とを備えるものがある。
【手続補正３】
【補正対象書類名】明細書
【補正対象項目名】０００９
【補正方法】変更
【補正の内容】
【０００９】
そこで、本発明は、スライドスイッチの部品点数や取付スペースを増加させることなく、スライドレバーのスライド操作位置の検知精度、及びスライドレバーの操作性を向上させることができるスライドスイッチ、及びスライドスイッチを備える電子機器を提供することを目的とする。
【手続補正４】
【補正対象書類名】明細書
【補正対象項目名】００１０
【補正方法】変更
【補正の内容】
【００１０】
上記目的を達成するために、本発明のスライドスイッチは、スライド方向に対して垂直に突出するスライド軸を有する操作部材と、電子機器の外装カバーに取り付けられ、前記操作部材を前記スライド方向に移動可能にガイドするベース部材と、前記スライド軸の中心を通って前記スライド方向に延びる線上に配置され、前記操作部材と一体に移動して、前記ベース部材に形成された凸部を乗り越えることでクリック力を発生する、弾性変形が可能なクリック力発生部と、前記操作部材と一体に移動可能とされ、前記操作部材のスライド方向と直交する前記ベース部材の幅方向に前記クリック力発生部を間に挟むように配置される２つの接片部と、前記２つの接片部の前記スライド方向の接触位置を検知するための信号パターンを有し、前記ベース部材に固定されることにより、前記ベース部材との間に、前記クリック力発生部、及び前記２つの接片部を、スライド方向に移動可能に収納する収納空間を形成する基板と、を備え、前記収納空間において、前記クリック力発生部と前記２つの接片部の一方の接片部とが第１の仕切り壁により仕切られ、前記クリック力発生部と他方の接片部とが第２の仕切り壁により仕切られることを特徴とする。
また、上記目的を達成するために、本発明の電子機器は、スライドスイッチと、前記スライドスイッチの操作位置によって前記電子機器の動作を切り換える制御を行う制御部と、を備える電子機器であって、前記スライドスイッチは、スライド方向に対して垂直に突出するスライド軸を有する操作部材と、電子機器の外装カバーに取り付けられ、前記操作部材を前記スライド方向に移動可能にガイドするベース部材と、前記スライド軸の中心を通って前記スライド方向に延びる線上に配置され、前記操作部材と一体に移動して、前記ベース部材に形成された凸部を乗り越えることでクリック力を発生する、弾性変形が可能なクリック力発生部と、前記操作部材と一体に移動可能とされ、前記操作部材のスライド方向と直交する前記ベース部材の幅方向に前記クリック力発生部を間に挟むように配置される２つの接片部と、前記２つの接片部の前記スライド方向の接触位置を検知するための信号パターンを有し、前記ベース部材に固定されることにより、前記ベース部材との間に、前記クリック力発生部及び前記２つの接片部を、スライド方向に移動可能に収納する収納空間を形成する基板と、を備え、前記収納空間において、前記クリック力発生部と前記２つの接片部の一方の接片部とが第１の仕切り壁により仕切られ、前記クリック力発生部と他方の接片部とが第２の仕切り壁により仕切られることを特徴とする。
また、上記目的を達成するために、本発明の他のスライドスイッチは、スライド方向に対して垂直に突出するスライド軸を有する操作部材と、電子機器の外装カバーに取り付けられ、前記操作部材を前記スライド方向に移動可能にガイドするベース部材と、前記スライド軸の中心を通って前記スライド方向に延びる線上に配置され、前記操作部材と一体に移動して、前記ベース部材に形成された凸部を乗り越えることでクリック力を発生する、弾性変形が可能なクリック力発生部と、前記操作部材と一体に移動可能とされ、前記操作部材のスライド方向と直交する前記ベース部材の幅方向に前記クリック力発生部を間に挟むように配置される２つの接片部と、前記２つの接片部の前記スライド方向の接触位置を検知するための信号パターンを有する基板と、を備え、前記基板は、前記ベース部材との間に複数の収納空間が設けられるように前記ベース部材に固定され、前記複数の収納空間は互いに仕切られ、前記クリック力発生部及び前記２つの接片部は夫々、前記複数の収納空間に、前記スライド方向に移動可能に収納されることを特徴とする。
また、上記目的を達成するために、本発明の他の電子機器は、スライドスイッチと、前記スライドスイッチの操作位置によって前記電子機器の動作を切り換える制御を行う制御部と、を備える電子機器であって、前記スライドスイッチは、スライド方向に対して垂直に突出するスライド軸を有する操作部材と、電子機器の外装カバーに取り付けられ、前記操作部材を前記スライド方向に移動可能にガイドするベース部材と、前記スライド軸の中心を通って前記スライド方向に延びる線上に配置され、前記操作部材と一体に移動して、前記ベース部材に形成された凸部を乗り越えることでクリック力を発生する、弾性変形が可能なクリック力発生部と、前記操作部材と一体に移動可能とされ、前記操作部材のスライド方向と直交する前記ベース部材の幅方向に前記クリック力発生部を間に挟むように配置される２つの接片部と、前記２つの接片部の前記スライド方向の接触位置を検知するための信号パターンを有する基板と、を備え、前記基板は、前記ベース部材との間に複数の収納空間が設けられるように前記ベース部材に固定され、前記複数の収納空間は互いに仕切られ、前記クリック力発生部及び前記２つの接片部は夫々、前記複数の収納空間に、前記スライド方向に移動可能に収納されることを特徴とする。
【手続補正５】
【補正対象書類名】明細書
【補正対象項目名】００１９
【補正方法】変更
【補正の内容】
【００１９】
スライドスイッチは、図２に示すように、スライドレバー１、クリック部材２（クリック力発生部材）、接片部材３、ベース部材４、及び基板５を備える。
【手続補正６】
【補正対象書類名】明細書
【補正対象項目名】００２９
【補正方法】変更
【補正の内容】
【００２９】
凹部４ｃには、スライドレバー１のスライド操作時にクリック部材２のクリック部２ａ（クリック力発生部）が弾性変形により乗り越えてクリック力を発生させる凸部４ｅが形成されている。
【手続補正７】
【補正対象書類名】特許請求の範囲
【補正対象項目名】全文
【補正方法】変更
【補正の内容】
【特許請求の範囲】
【請求項１】
スライド方向に対して垂直に突出するスライド軸を有する操作部材と、
電子機器の外装カバーに取り付けられ、前記操作部材を前記スライド方向に移動可能にガイドするベース部材と、
前記スライド軸の中心を通って前記スライド方向に延びる線上に配置され、前記操作部材と一体に移動して、前記ベース部材に形成された凸部を乗り越えることでクリック力を発生する、弾性変形が可能なクリック力発生部と、
前記操作部材と一体に移動可能とされ、前記操作部材のスライド方向と直交する前記ベース部材の幅方向に前記クリック力発生部を間に挟むように配置される２つの接片部と、
前記２つの接片部の前記スライド方向の接触位置を検知するための信号パターンを有し、前記ベース部材に固定されることにより、前記ベース部材との間に、前記クリック力発生部、及び前記２つの接片部を、スライド方向に移動可能に収納する収納空間を形成する基板と、を備え、
前記収納空間において、前記クリック力発生部と前記２つの接片部の一方の接片部とが第１の仕切り壁により仕切られ、前記クリック力発生部と他方の接片部とが第２の仕切り壁により仕切られることを特徴とするスライドスイッチ。
【請求項２】
前記操作部材に固定され、前記クリック力発生部が形成されるクリック力発生部材と、
前記操作部材に固定され、前記２つの接片部が形成される接片部材と、をさらに備えることを特徴とする請求項１に記載のスライドスイッチ。
【請求項３】
前記クリック力発生部、及び前記２つの接片部が同一の部材に形成されることを特徴とする請求項１に記載のスライドスイッチ。
【請求項４】
前記クリック力発生部と前記凸部との間に配置された潤滑剤をさらに備えることを特徴とする請求項１乃至３のいずれか１項に記載のスライドスイッチ。
【請求項５】
スライドスイッチと、前記スライドスイッチの操作位置によって前記電子機器の動作を切り換える制御を行う制御部と、を備える電子機器であって、
前記スライドスイッチは、
スライド方向に対して垂直に突出するスライド軸を有する操作部材と、
電子機器の外装カバーに取り付けられ、前記操作部材を前記スライド方向に移動可能にガイドするベース部材と、
前記スライド軸の中心を通って前記スライド方向に延びる線上に配置され、前記操作部材と一体に移動して、前記ベース部材に形成された凸部を乗り越えることでクリック力を発生する、弾性変形が可能なクリック力発生部と、
前記操作部材と一体に移動可能とされ、前記操作部材のスライド方向と直交する前記ベース部材の幅方向に前記クリック力発生部を間に挟むように配置される２つの接片部と、
前記２つの接片部の前記スライド方向の接触位置を検知するための信号パターンを有し、前記ベース部材に固定されることにより、前記ベース部材との間に、前記クリック力発生部及び前記２つの接片部を、スライド方向に移動可能に収納する収納空間を形成する基板と、を備え、
前記収納空間において、前記クリック力発生部と前記２つの接片部の一方の接片部とが第１の仕切り壁により仕切られ、前記クリック力発生部と他方の接片部とが第２の仕切り壁により仕切られることを特徴とする電子機器。
【請求項６】
前記操作部材に固定され、前記クリック力発生部が形成されるクリック力発生部材と、
前記操作部材に固定され、前記２つの接片部が形成される接片部材と、をさらに備えることを特徴とする請求項５に記載の電子機器。
【請求項７】
前記クリック力発生部、及び前記２つの接片部が同一の部材に形成されることを特徴とする請求項５に記載の電子機器。
【請求項８】
前記クリック力発生部と前記凸部との間に配置された潤滑剤をさらに備えることを特徴とする請求項５乃至７のいずれか１項に記載の電子機器。
【請求項９】
スライド方向に対して垂直に突出するスライド軸を有する操作部材と、
電子機器の外装カバーに取り付けられ、前記操作部材を前記スライド方向に移動可能にガイドするベース部材と、
前記スライド軸の中心を通って前記スライド方向に延びる線上に配置され、前記操作部材と一体に移動して、前記ベース部材に形成された凸部を乗り越えることでクリック力を発生する、弾性変形が可能なクリック力発生部と、
前記操作部材と一体に移動可能とされ、前記操作部材のスライド方向と直交する前記ベース部材の幅方向に前記クリック力発生部を間に挟むように配置される２つの接片部と、
前記２つの接片部の前記スライド方向の接触位置を検知するための信号パターンを有する基板と、を備え、
前記基板は、前記ベース部材との間に複数の収納空間が設けられるように前記ベース部材に固定され、
前記複数の収納空間は互いに仕切られ、
前記クリック力発生部及び前記複数の接片部は夫々、前記複数の収納空間に、前記スライド方向に移動可能に収納されることを特徴とするスライドスイッチ。
【請求項１０】
前記操作部材に固定され、前記クリック力発生部が形成されるクリック力発生部材と、
前記操作部材に固定され、前記２つの接片部が形成される接片部材と、をさらに備えることを特徴とする請求項９に記載のスライドスイッチ。
【請求項１１】
前記クリック力発生部、及び前記２つの接片部が同一の部材に形成されることを特徴とする請求項９に記載のスライドスイッチ。
【請求項１２】
前記クリック力発生部と前記凸部との間に配置された潤滑剤をさらに備えることを特徴とする請求項９乃至１１のいずれか１項に記載のスライドスイッチ。
【請求項１３】
スライドスイッチと、前記スライドスイッチの操作位置によって前記電子機器の動作を切り換える制御を行う制御部と、を備える電子機器であって、
前記スライドスイッチは、
スライド方向に対して垂直に突出するスライド軸を有する操作部材と、
電子機器の外装カバーに取り付けられ、前記操作部材を前記スライド方向に移動可能にガイドするベース部材と、
前記スライド軸の中心を通って前記スライド方向に延びる線上に配置され、前記操作部材と一体に移動して、前記ベース部材に形成された凸部を乗り越えることでクリック力を発生する、弾性変形が可能なクリック力発生部と、
前記操作部材と一体に移動可能とされ、前記操作部材のスライド方向と直交する前記ベース部材の幅方向に前記クリック力発生部を間に挟むように配置される２つの接片部と、
前記２つの接片部の前記スライド方向の接触位置を検知するための信号パターンを有する基板と、を備え、
前記基板は、前記ベース部材との間に複数の収納空間が設けられるように前記ベース部材に固定され、
前記複数の収納空間は互いに仕切られ、
前記クリック力発生部及び前記複数の接片部は夫々、前記複数の収納空間に、前記スライド方向に移動可能に収納されることを特徴とする電子機器。
【請求項１４】
前記操作部材に固定され、前記クリック力発生部が形成されるクリック力発生部材と、
前記操作部材に固定され、前記２つの接片部が形成される接片部材と、をさらに備えることを特徴とする請求項１３に記載の電子機器。
【請求項１５】
前記クリック力発生部、及び前記２つの接片部が同一の部材に形成されることを特徴とする請求項１３に記載の電子機器。
【請求項１６】
前記クリック力発生部と前記凸部との間に配置された潤滑剤をさらに備えることを特徴とする請求項１３乃至１５のいずれか１項に記載の電子機器。